(57)【特許請求の範囲】
【請求項１】
ロックケーシング又はプレートを有するロック機構を備え、前記ロック機構が、
ロックボルトを受けるための回転可能に装着された回転キャッチと、
前記ロックボルトを保持するために前記回転キャッチと係合可能な爪と、
前記ロック機構を解除するための解放レバーと、
前記解放レバーが過度に加速する場合に前記解放レバーが前記ロック機構を解除し得るのを防止することができる拘束装置と、
前記ロックケーシング又はプレートに回転可能に装着される安全レバーと、
を備え、
前記拘束装置が、慣性レバーおよび阻止レバーを備え、前記慣性レバーと前記阻止レバーは、前記解放レバーが通常のように加速されるときにのみ前記慣性レバーが前記解放レバーにより前記阻止レバーと共に移動されるように相互連結され、
前記安全レバーが、前記ロックケーシング又はプレートに連結された拘束形状部を備え、前記拘束形状部は、前記解放レバーが過度に加速する場合に前記阻止レバーを拘束し、前記慣性レバーの輪郭部に対して付勢状態で当接する自動車用ロック。
【請求項２】
前記拘束装置は、前記解放レバーが前記爪または前記阻止レバーを前記爪または前記阻止レバーの阻止位置もしくはラッチ位置から移動させ得るのを防止することができる、請求項１に記載の自動車用ロック。
【請求項３】
前記解放レバーが大きく加速される場合に、前記阻止レバーのみが、前記解放レバーの更なる枢動を阻止する位置に移動される、請求項２に記載の自動車用ロック。
【請求項４】
前記拘束装置は、前記解放レバーが通常のように加速されるときにのみ慣性レバーが前記解放レバーにより阻止レバーと共に移動されるように、前記拘束装置の前記慣性レバーと前記阻止レバーを相互連結するばねを備える、請求項１に記載の自動車用ロック。
【請求項５】
前記ばねの一方の脚が前記慣性レバーに取り付けられており、前記ばねの他方の脚が前記阻止レバーに取り付けられている、請求項４に記載の自動車用ロック。
【請求項６】
前記阻止レバーが、前記慣性レバーに回転可能に装着されている、請求項５に記載の自動車用ロック。
【請求項７】
前記阻止レバーが、前記阻止レバーを移動させるために前記解放レバーにより移動させることができる突出部を備える、請求項６に記載の自動車用ロック。
【請求項８】
前記ばねの脚が、前記突出部の輪郭部に対して付勢状態で当接している、請求項７に記載の自動車用ロック。
【請求項９】
前記慣性レバーの質量が、前記阻止レバーの質量よりも数倍大きい、請求項１に記載の自動車用ロック。
【請求項１０】
前記爪の捕捉位置において前記爪を阻止することが可能な阻止レバーを更に備える、請求項１に記載の自動車用ロック。
【請求項１１】
前記爪が前記爪の捕捉位置にある場合に、前記回転キャッチが前記爪に開放モーメントを伝えることが可能である、請求項１０に記載の自動車用ロック。
【請求項１２】
前記回転キャッチについて２つの捕捉位置がある、すなわち、予備捕捉位置および主要捕捉位置がある、請求項１に記載の自動車用ロック。
【請求項１３】
前記予備捕捉位置は、閉鎖プロセス中にドアまたはハッチが前記主要捕捉位置に到達しないときに、それぞれのドアまたはハッチを回転捕捉する、請求項１２に記載の自動車用ロック。
【発明の詳細な説明】
【技術分野】
【０００１】
本発明は、自動車用ロックに関する。
【背景技術】
【０００２】
自動車用ロックは、ストライカとも称されるロックボルトを受けるための回転可能に装着された回転キャッチ（ｒｏｔａｒｙ  ｃａｔｃｈ）を備えたロック機構を備える。その上、ロック機構は、ロックボルトを保持するために回転キャッチと係合可能な爪を備える。
【０００３】
自動車ロックの回転キャッチは通常、負荷アームと回転捕捉アームとにより形成され、かつドアまたはハッチが閉じられたときに、車両ドアまたは車両ハッチ（例えば、ボンネットまたはトランクリッド）のロックボルト（ストライカとも称される）が入る、フォーク状の入口スロット（入口開口部とも称される）を備える。それから、ロックボルトまたはストライカは、爪が回転キャッチに係合するまで、回転キャッチを開放位置から閉鎖位置の方向に回動させる。この位置は捕捉位置と称される。そして、ロックボルトは、回転キャッチの入口スロットを離れることができない。
【０００４】
更に、ロックは、爪の捕捉位置において爪を阻止することが可能な阻止レバーを備えることができる。ロック機構を開放するために爪が爪の捕捉位置から離れることができるように、阻止レバーを阻止レバーの阻止位置から枢動または回動させなければならない。
【０００５】
爪が爪の捕捉位置にある場合に回転キャッチが爪に開放モーメントを伝えることが可能であるロックが、米国特許出願公開第２０１００５２３３６号明細書で知られている。このようなロックは、ロック機構に係合できるように阻止レバーを必要とする。このようなロックを少ない労力で開放することができる。
【０００６】
２つの捕捉位置（すなわち、予備捕捉位置および主要捕捉位置）を有する自動車ロックが存在する。予備捕捉位置は、閉鎖プロセス中にドアまたはハッチが主要捕捉位置に到達しないときに、それぞれのドアまたはハッチを回転捕捉する働きをする。予備捕捉位置から開始して、対応するように回転キャッチを更に回動させる場合、回転キャッチが最終的に主要捕捉位置に到達する。
【０００７】
原則として、ロックは、ロック機構を開放または解除するために作動させる解放レバーを備える。このような解放レバーは、典型的にはドアやハッチのハンドルに連結される。ハンドルが作動される場合には、ロック機構を解除し、ひいてはロックを開放するために、解放レバーが作動される。
【０００８】
衝突時に、ハンドルが不用意に作動される場合があり、このことにより、ロック機構が開放される。このような場合にかかるロックが不用意に開放しないことを確実にするべきである。
【０００９】
ロックが衝突時に不用意に開放しないことを確実にするために、ロック機構を解放または開放するための少なくとも１つの作動レバー（すなわち、解放レバー）を備えるロック機構を備えたロックが、文献である欧州特許第１５１８９８３号明細書により提供される。加えて、ロックは、所定の車両の加速中に作動レバーを阻止する阻止レバーを備える。
【発明の概要】
【発明が解決しようとする課題】
【００１０】
衝突時には、通常の開放プロセスと比較して特に大きな加速が生じる。（例えば、衝突時に生じる）大きな車両加速でのみ作動レバーが阻止する場合に、衝突時のロック機構の意図しない開放を防止することができる。ドアハンドルの通常作動の場合には、大きな加速がないために作動レバーが阻止されず、したがってロックの開放を可能にする。
【００１１】
上で説明した問題に鑑みて、本発明は、一態様において、衝突時に不用意な開放が防止されるロックを提供する。
【課題を解決するための手段】
【００１２】
目的を達成するために、本発明の一実施形態によれば、回転キャッチと回転キャッチに係合するための爪とを備えるロック機構を備えたロックが提供される。更に、ロックは、爪が爪の捕捉位置に位置する場合に爪を阻止することが可能な阻止レバーを備えてもよい。その上、ロック機構を開放または解放するための解放レバーが設けられる。解放レバーが作動される場合で、解放レバーが過度に加速されない場合には、解放レバーの作動により、爪または阻止レバーを阻止位置から移動させる。衝突により引き起こされ得るような、解放レバーの過度に大きな加速が生じる場合には、ロックの拘束装置は、解放レバーが爪または阻止レバーをその阻止位置またはラッチ位置からそれぞれ移動させ得るのを防止する。それゆえ、ロックは、解放レバーが衝突時に加速される場合には開放することができない。
【００１３】
一実施形態において、拘束装置は、慣性レバーと阻止レバーとを備える。慣性レバーおよび阻止レバーは、ドアハンドルが通常の方法で（例えば、車両の運転者により）作動される場合と同様に、解放レバーが通常のように加速されたときにのみ慣性レバーを解放レバーにより阻止レバーと共に移動させるように相互連結される。このような場合には、阻止レバーがロック機構の開放を防止できないように、慣性レバーと阻止レバーの共同移動が行われる。衝突時に起こり得るように、解放レバーが大きく加速される場合には、慣性レバーの慣性により、阻止レバーのみを、具体的にはロック機構の開放が防止されるように解放レバーの更なる枢動を阻止する位置に移動させる。
【００１４】
本発明の一実施形態において、拘束装置は、解放レバーが通常のように加速されたときにのみ慣性レバーを解放レバーにより阻止レバーと共に移動させるように慣性レバーと阻止レバーを相互連結するばねを備える。このことが、技術的に簡単な方法で、衝突時にロックが意図せずに開放し得るのを防止する。通常のような加速とは、（一般的に衝突に起因する）解放レバーの過度に大きな加速がないことを意味する。
【００１５】
本発明の一実施形態において、ばねの一方の脚は、慣性レバーに連結される。このような連結は、特にばねの脚が慣性レバーの輪郭部に対して好ましくは付勢状態で当接する場合に行われる。慣性レバーの突起または空隙により輪郭部を形成してもよい。ばねのもう１つの脚は阻止レバーに連結される。このような連結は、特にばねの脚が阻止レバーの輪郭部に対して好ましくは付勢された状態で当接するときに行われる。阻止レバーの突起または空隙が輪郭部を形成してもよい。より低い加速の場合には、ばねは、阻止レバーと慣性レバーとの間の強固な連結部のように機能する。それゆえ、より低い加速では、ロック機構を開放するための解放レバーの作動により阻止レバーおよび慣性レバーを共に移動させる。解放レバーの作動は、対応するドアまたはフラップのハンドルもしくはグリップを作動させることにより行われる。
【００１６】
大きな加速の場合には、慣性レバーの慣性により、ばねが、阻止レバーのみをまたは阻止レバーを少なくとも主に移動させかつ慣性レバーを全くまたは少なくともほとんど移動させないように変形される。特に、ばねは、それに対応するように大きな加速の場合に更に付勢される。阻止レバーを慣性レバーと独立に移動させる場合には、阻止レバーが阻止レバーの拘束位置に入る。拘束位置では、ロック機構が開放されるように解放レバーを更に回し得ることが防止される。
【００１７】
一実施形態において、阻止レバーは、阻止レバーを移動させるために解放レバーにより移動させることができる突出部を備える。解放レバーが作動される場合に、突出部、ひいては阻止レバーを移動させる。
【００１８】
本発明の好ましい一実施形態において、阻止レバーの突出部は、ばねまたはばねの脚に上述の輪郭部を与える。
【００１９】
好ましくは、慣性レバーの質量は、解放レバーの低い加速でのみ慣性レバーを確実に移動させるように、阻止レバーの質量よりも少なくとも２倍、３倍、４倍またはそれ以上大きい。
【００２０】
本発明の一実施形態において、回転可能に装着された安全レバーは、解放レバーの低い加速でのみ慣性レバーを確実に移動させるように、慣性レバーの輪郭部に対して付勢状態で当接する。
【００２１】
本発明の一実施形態において、ロックは、ロックのロックケーシングに強固にまたは回転可能に連結された拘束形状部を備える。拘束形状部は、解放レバーが過度に加速される場合に、阻止レバーを拘束する働きをする。阻止レバーが、拘束形状部により拘束され、したがって、阻止レバーの拘束位置に位置する場合には、ロック機構が開放されるように解放レバーを更に回すことができない。
【００２２】
本発明の一実施形態において、回転可能に装着された安全レバーは、部品点数を削減するために、拘束形状部を備える。
【００２３】
一実施形態において、ロックは、爪の拘束位置において爪を阻止し得る阻止レバーを備えてもよい。この実施形態において、解放レバーは、阻止レバーを阻止レバーの阻止位置から外すために、阻止レバーの突出部を捕捉してもよい。
【００２４】
一実施形態において、解放レバーは、回転キャッチに係合するための第２の爪として機能してもよい。
【００２５】
添付の図面を参照しながら本発明を以下に説明する。
【図面の簡単な説明】
【００２６】
【図１】本発明の例示的な実施形態によるロック機構の概略側面図である。
【図２】本発明の例示的な実施形態による拘束装置の第１の詳細図である。
【図３】本発明の例示的な実施形態による拘束装置の第２の詳細図である。
【発明を実施するための形態】
【００２７】
図１に示すように、ロックのロック機構は、回転キャッチ１と、爪２と、阻止レバー３と、阻止レバー３よりも下の慣性レバー４と、安全レバー５とを備える。回転キャッチ１、爪２、慣性レバー４および安全レバー５は、金属プレート６に回転可能に装着される。加えて、解放レバーが存在する。図１は、解放レバー７の一部分を示している。解放レバー７を、爪２よりも上に配置することができ、かつ軸９上に回転可能に装着することができる。
【００２８】
回転キャッチ１は、回転キャッチ１の軸８を中心に回転してもよい。爪２は、爪２の軸９を中心に回転してもよい。慣性レバー４は、慣性レバー４の軸１０を中心に回転してもよい。慣性レバー４の重量は、阻止レバー３の重量よりも少なくとも２倍、３倍、４倍またはそれ以上重い。
【００２９】
図１に示すように、爪２は、回転キャッチ１の時計回りの回転を阻止する。それゆえ、爪２は、爪２の捕捉位置にある。ロック機構をロック解除するためには、爪２を時計回りに回転させる必要がある。爪２が爪２の捕捉位置から離れたときに、回転キャッチ１が、回転キャッチ１の開放位置の方向に時計回りに回転することができる。回転キャッチ１が回転キャッチ１の開放位置に到達したときに、車両ドアまたは車両フラップのロックホルダ１１は、ロック機構から離れることができる。そして、対応するドアまたはフラップを開放することができる。
【００３０】
阻止レバー３は、解放レバー７のレバーアームに隣接して慣性レバー４に回転可能に装着される。更に、阻止レバー３および慣性レバー４は、付勢ばね１２により相互連結される。ばね１２の第１の脚１３は、慣性レバー４の突起１４に対して付勢状態で当接する。図２および図３により詳細に示すように、ばね１２の第２の脚１５は、阻止レバーの突起１６に対して付勢状態で当接する。
【００３１】
加えて、突起１６が突出部として機能する。解放レバー７の上述のレバーアームは、阻止レバー３を左方向に移動させるために突出部１６を捕捉することができる。阻止レバー３は、軸１７を中心にまたは慣性レバー４と共に軸１０を中心に回転してもよい。
【００３２】
ボーデンケーブルまたは他の既知の手段などによりロック機構に連結された車両の対応するグリップを運転者または別の人が作動させることにより、解放レバー７が時計回りに回転する。このような場合に、解放レバーの対応するアームは、阻止レバー３を左方向に移動させる。加速が低いときには、ばね１２は、慣性レバー４と阻止レバー３との間の強固な連結部として機能する。このため、左方向への阻止レバー３の移動により、慣性レバー４が軸１０を中心に反時計回りに阻止レバー３と共に回転する。解放レバー７は、爪を爪の捕捉位置から外すために、突出部、爪２の突起１８をそれぞれ捕捉する。最終的に、対応するドアまたはフラップを開放することができる。
【００３３】
自動車衝突の際に、ドアハンドルの部品または他の車両構成部品が加速して、解放レバー７の強い加速をもたらすグリップの望ましくない作動を引き起こす場合がある。解放レバー７の強い加速は、左方向への阻止レバー３の強い加速をもたらす。この場合、安全レバー５が慣性レバー４の輪郭部に付勢状態で当接するので、慣性レバー４の高重量および生じる慣性によりならびに／または慣性レバー４と安全レバー５との間の摩擦力により、ばね１２が、阻止レバー３と慣性レバー４との間の強固な連結部として機能しない。その結果、慣性レバー４は、慣性レバー４の軸１０を中心に回転しない。その代わりに、阻止レバー３が、阻止レバー３の軸１７を中心に図３に示す位置の方向に時計回りに回転する。
【００３４】
阻止レバーが図３に示す位置に到達したときに、安全レバー５は、左方向への阻止レバー３の移動を阻止してもよい。このような場合、解放レバー７の更なる時計回りの回転は可能ではない。その結果、爪２は、図１に示す爪２の捕捉位置で静止する。
【００３５】
慣性レバー４が図１に示す慣性レバー４の開始位置に戻ることを、重力によりおよび／または更なるばねにより達成することができる。
【００３６】
回転可能に装着された安全レバーは、安全レバーの軸１９を中心に回転可能である。ばね２０により、安全レバーは、慣性レバーの輪郭部に対して付勢状態で当接する。
【図１】
0006402431.tif 000002
【図２】
0006402431.tif 000003
【図３】
0006402431.tif 000004